(57)【要約】【課題】第１，第２レーザ光の各出射パワーを共通のＡＰＣ光学系で検出する。【解決手段】波長λ１が４０５ｎｍ前後の第１レーザ光Ｌ１によりＢＤ１を記録又は再生する第１光学系２０と、波長λ２が６６０ｎｍ前後の第２レーザ光Ｌ２によりＤＶＤ２を記録又は再生する第２光学系３０と、第１，第２レーザ光Ｌ１，Ｌ２の各出射パワーを制御するＡＰＣ光学系４０とを光ピックアップ装置１０内に備えた際、ＡＰＣ光学系４０は、第１，第２レーザ光の各光軸が所定の間隔Ｋを隔てて平行となる領域に半透過反射面４１ａを有して配置されたミラー４１と、ミラー４１の半透過反射面４１ａを透過（又は反射）させた第１，第２レーザ光の各一部を入射させるフロントモニタ用集光レンズ４２と、フロントモニタ用集光レンズ４２で集光された第１，第２レーザ光の各一部の各出射パワーを検出するフロントモニタ・フォトディテクタ４３とを有する。【選択図】図１
2008090893.tif 000002
【特許請求の範囲】
【請求項１】
第１レーザ光を出射する第１半導体レーザ光源、前記第１半導体レーザ光源から出射した前記第１レーザ光を第１光記録媒体の情報記録面に集光させる第１対物レンズ、及び、前記第１光記録媒体の前記情報記録面で反射された前記第１レーザ光の戻り光を検出する第１光検出器を有する第１光学系と、
第１レーザ光よりも波長が長い第２レーザ光を出射する第２半導体レーザ光源、前記第２半導体レーザ光源から出射した前記第２レーザ光を第２光記録媒体の情報記録面に集光させる第２対物レンズ、及び、前記第２光記録媒体の前記情報記録面で反射された前記第２レーザ光の戻り光を検出する第２光検出器を有する第２光学系と、
前記第１，第２半導体レーザ光源からそれぞれ出射した前記第１，第２レーザ光の各出射パワーを制御するＡＰＣ光学系と、を備えて、
前記第１，第２光記録媒体に対して情報の記録又は再生を行う光ピックアップ装置において、
前記ＡＰＣ光学系は、
前記第１，第２レーザ光の各光軸が所定の間隔を隔てて平行となる領域に半透過反射面を有して前記第１，第２レーザ光の各一部を前記半透過反射面で透過（又は反射）させ、且つ、前記第１，第２レーザ光の各一部の残りを前記半透過反射面で反射（又は透過）させて前記第１，第２対物レンズの方向に出射させるミラーと、
前記ミラーの前記半透過反射面を透過（又は反射）させた前記第１，第２レーザ光の各一部を前記所定の間隔を隔てて入射させるフロントモニタ用集光レンズと、
前記フロントモニタ用集光レンズで集光された前記第１，第２レーザ光の各一部の各出射パワーを検出するフロントモニタ・フォトディテクタと、
を有することを特徴とする光ピックアップ装置。
【請求項２】
前記フロントモニタ用集光レンズは、前記第１，第２レーザ光の各一部による各光束の中心を結ぶ線と少なくとも一方の端面が平行または１０°以下の傾きをなすことを特徴とする請求項１記載の光ピックアップ装置。
【請求項３】
第３光記録媒体を記録又は再生するために前記第２レーザ光よりも波長が長い第３レーザ光を出射する第３半導体レーザ光源を前記第２光学系内に併設し、且つ、前記第３レーザ光を前記ＡＰＣ光学系に入射させることを特徴とする請求項１又は請求項２記載の光ピックアップ装置。
【発明の詳細な説明】
【技術分野】
【０００１】
本発明は、短波長の第１半導体レーザ光源と高ＮＡ対物レンズとを有して第１光記録媒体（高密度光記録媒体）を記録又は再生するための第１光学系と、長波長の第２半導体レーザ光源と低ＮＡ対物レンズとを有して第２光記録媒体（低密度光記録媒体）を記録又は再生するための第２光学系と、第１，第２半導体レーザ光源からそれぞれ出射した第１，第２レーザ光の各出射パワーを制御するＡＰＣ（Ａｕｔｏ  Ｐｏｗｅｒ  Ｃｏｎｔｒｏｌ）光学系とを備えた光ピックアップ装置に関するものである。
【背景技術】
【０００２】
一般的に、音声信号，映像信号，データ信号などの各種の情報信号を高密度に記録又は再生できる光記録媒体（光ディスク）は、光ディスクドライブ内で光ディスクの半径方向に移動自在に設けた光ピックアップ装置により情報記録面上の所望の記録トラックを高速にアクセスできることから多用されている。
【０００３】
この種の光記録媒体となる光ディスクとして例えばＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）などは既に市販されており、最近では、より一層高密度化を図ったＢＤ（Ｂｌｕ−ｒａｙ  Ｄｉｓｃ）と呼称される高密度光記録媒体が開発されている。
【０００４】
まず、上記したＣＤは、レーザビーム入射面から情報記録面までの基板厚さが１．２ｍｍ程度であり、波長が７８５ｎｍ前後のレーザ光を開口数（ＮＡ）が０．４５〜０．５程度の対物レンズで絞って得たレーザビームを情報記録面にスポット状に照射することで、情報信号の記録又は再生が可能になっている。
【０００５】
また、上記したＤＶＤは、レーザビーム入射面から情報記録面までの基板厚さが０．６ｍｍ程度であり、波長が６６０ｎｍ前後のレーザ光を開口数（ＮＡ）が０．６から０．６５程度の対物レンズで絞って得たレーザビームを情報記録面にスポット状に照射することで、情報信号の記録又は再生が可能になっている。この際、ＤＶＤの記録容量はＣＤよりも６〜８倍程度高めてディスク基板の直径が１２ｃｍの時に片面で４．７ＧＢ（ギガバイト）程度である。
【０００６】
また、上記したＢＤは、レーザビーム入射面から情報記録面までの基板厚さが０．１ｍｍ程度であり、波長が４０５ｎｍ前後のレーザ光を開口数（ＮＡ）が０．８５程度の対物レンズで絞って得たレーザビームを情報記録面にスポット状に照射することで、情報信号の記録又は再生が可能になっている。この際、ＢＤの記録容量はＤＶＤよりも５倍程度高めてディスク基板の直径が１２ｃｍの時に片面で２５ＧＢ（ギガバイト）程度である。
【０００７】
ここで、光ピックアップ装置内に、ＢＤ用光学ブロックと、ＤＶＤ／ＣＤ光学ブロックとからなる２系統の光学ブロックとを内蔵し、ＢＤ用高ＮＡ対物レンズによりＢＤを記録又は再生し、一方、ＤＶＤ／ＣＤ用対物レンズによりＤＶＤ／ＣＤを選択的に記録又は再生できるものが下記の特許文献１に開示されている。
【特許文献１】特開２００４−２９５９８３号公報
【０００８】
図４は従来の光ピックアップ装置の一例を摸式的に示した図である。
【０００９】
図４（ａ）〜（ｃ）に示した従来の光ピックアップ装置１００は、上記した特許文献１（特開２００４−２９５９８３号公報）に開示されているものであり、ここでは特許文献１を参照して簡略に説明する。
【００１０】
図４（ａ）〜（ｃ）に示した如く、従来の光ピックアップ装置１００では、ＢＤ１を記録又は再生するためのＢＤ用光学ブロック１１０と、ＤＶＤ２又はＣＤ３を選択的に記録又は再生するためのＤＶＤ／ＣＤ光学ブロック１３０とからなる２系統の光学ブロックが設置されている。
【００１１】
まず、ＢＤ用光学ブロック１１０について説明すると、図３（ａ），（ｂ）に示したように、ＢＤ用光学ブロック１１０は、ＢＤ用レーザダイオード１１１と、コリメータレンズ１１２と、ビーム整形プリズム兼ＰＢＳ１１３と、ＢＤ用フロントモニタ・フォトディテクタ１１４と、球面収差補正素子１１５と、ＢＤ用立ち上げミラー１１６と、偏光ホログラム複合素子１１７と、ＢＤ用高ＮＡ対物レンズ１１８と、集束レンズ１１９と、凹レンズ１２０と、ホログラム素子１２１と、ＢＤ用光検出器１２２とで構成されている。
【００１２】
上記構成によるＢＤ用光学ブロック１１０において、ＢＤ用の半導体レーザ光源となるＢＤ用レーザダイオード１１１から出射した波長が４０５ｎｍのＢＤ用レーザ光は、コリメータレンズ１１２を通過してビーム整形プリズム兼ＰＢＳ１１３に入射される。
【００１３】
このビーム整形プリズム兼ＰＢＳ１１３は、ＢＤ用レーザ光の強度分布を楕円状の断面から円状に近い断面に整形する機能と、Ｐ偏光光を９０％以上透過してＳ偏光光をほぼ１００％反射する偏光ビームスプリッタ機能とを有している。この際、往路のＢＤ用レーザ光はＰ偏光光でありその大部分はビーム整形プリズム兼ＰＢＳ１１３のプリズム接合面を透過するが、数％程度の反射されたＢＤ用レーザ光は、ビーム整形プリズム兼ＰＢＳ１１３の近傍に設けたＢＤ用フロントモニタ・フォトディテクタ１１４に入射されてＢＤ用レーザ光の出射パワー（出射光強度）をモニタし、その出力を基にＢＤ用レーザダイオード１１１の出力が調整される。
【００１４】
この後、ビーム整形プリズム兼ＰＢＳ１１３を透過した大部分のＢＤ用レーザ光は、凸レンズと凹レンズとを有し、少なくとも一方のレンズが光軸方向に移動可能な球面収差補正素子１１５に入射され、この球面収差補正素子１１５によりＢＤ１のレーザ光入射面から情報記録面までの基板厚さ誤差による球面収差が補正される。
【００１５】
そして、球面収差補正素子１１５を通過したＢＤ用レーザ光は、ＢＤ用立ち上げミラー１１６で９０°反射されて光路を上方に向かって折り曲げられ、１／４波長板を有する偏光ホログラム複合素子１１７を通過して開口数（ＮＡ）が０．８５のＢＤ用高ＮＡ対物レンズ１１８によりＢＤ１の情報記録面にスポット状に集光される。
【００１６】
一方、復路において、ＢＤ１の情報記録面で反射されたＢＤ用レーザ光は、ＢＤ用高ＮＡ対物レンズ１１８からビーム整形プリズム兼ＰＢＳ１１３までは元の経路を戻り、ビーム整形プリズム兼ＰＢＳ１１３に入射される。この時点でＢＤ用レーザ光は、偏光ホログラム複合素子１１７の１／４波長板を２度通過しているためにＳ偏光光となる。このため、復路のＢＤ用レーザ光はビーム整形プリズム兼ＰＢＳ１１３のプリズム接合面で反射され、反射後のＢＤ用レーザ光は集束レンズ１１９，凹レンズ１２０，ホログラム素子１２１を順に通過してＢＤ用光検出器１２２内に入射され、このＢＤ用光検出器１２２内の受光部で光電変換されて、ＢＤ１に対してトラッキングエラー信号，フォーカスエラー信号，メインデータ信号を検出している。
【００１７】
次に、ＤＶＤ／ＣＤ用光学ブロック１３０について説明すると、図３（ａ），（ｃ）に示したように、ＤＶＤ／ＣＤ用光学ブロック１３０は、ＤＶＤ用レーザダイオード１３１と、回折格子１３２と、ＣＤ用レーザダイオード１３３と、カップリングレンズ１３４と、回折格子１３５と、ダイクロイックプリズム１３６と、ＤＶＤ／ＣＤ用偏光ビームスプリッタ１３７と、コリメータレンズ１３８と、ＤＶＤ／ＣＤ用フロント・フォトディテクタ１３９と、ＤＶＤ／ＣＤ用立ち上げミラー１４０と、１／４板１４１と、波長選択型開口フィルタ１４２と、ＤＶＤ／ＣＤ用対物レンズ１４３と、アナモフィクレンズ１４４と、ＤＶＤ／ＣＤ用光検出器１４５とで構成されている。
【００１８】
上記構成によるＤＶＤ／ＣＤ用光学ブロック１３０において、ＤＶＤ用の半導体レーザ光源となるＤＶＤ用レーザダイオード１３１から射出した波長が６５０ｎｍのＤＶＤ用レーザ光は、回折格子１３２に入射され、この回折格子１３２によりトラッキングエラー信号生成に用いる３本のビームに分けられる。そして、回折格子１３２を通過したＤＶＤ用レーザ光はダイクロイックプリズム１３６に入射されて、ダイクロイックプリズム１３６をそのまま透過する。
【００１９】
このダイクロイックプリズム１３６はＤＶＤ用レーザ光（波長６５０ｎｍ）を透過させ、且つ、後述するＣＤ用レーザ光（波長７８０ｎｍ）を反射させる機能を有するビームスプリッタである。そして、ダイクロイックプリズム１３６を透過したＤＶＤ用レーザ光は、ＤＶＤ／ＣＤ用偏光ビームスプリッタ１３７にＰ偏光光として入射され、ＤＶＤ／ＣＤ用偏光ビームスプリッタ１３７をそのまま透過する。
【００２０】
このＤＶＤ／ＣＤ用偏光ビームスプリッタ１３７はＰ偏光光を透過し、Ｓ偏光光を反射するビームスプリッタである。そして、ＤＶＤ／ＣＤ用偏光ビームスプリッタ１３７を透過したＤＶＤ用レーザ光は、コリメータレンズ１３８入射される。
【００２１】
このコリメータレンズ１３８は、ＤＶＤ用レーザ光に対しては発散光を平行光に変換する機能と、後述するＣＤ用レーザ光に対しては発散光を略平行光に変換する機能とを有している。
【００２２】
また、コリメータレンズ１３８の近傍にＤＶＤ／ＣＤ用フロントモニタ・フォトディテクタ１３９を設け、このＤＶＤ／ＣＤ用フロントモニタ・フォトディテクタ１３９でコリメータレンズ１３８に入射しないＤＶＤ用レーザ光の周辺光の一部分の出射パワーをモニタし、その出力値を基にＤＶＤ用レーザダイオード１３１の出力を制御している。
【００２３】
更に、コリメータレンズ１３８を通過したＤＶＤ用レーザ光は、ＤＶＤ／ＣＤ用立ち上げミラー１４０で９０°反射されて光路を上方に向かって折り曲げられ、１／４波長板１４１によって直線偏光光から円偏光光に変換される。そして、円偏光光に変換されたＤＶＤ用レーザ光は、波長選択型開口フィルタ１４２に入射され、この波長選択型開口フィルタ１４２によりＤＶＤ／ＣＤ用対物レンズ１４３への開口数（ＮＡ）が０．６５に制限されてＤＶＤ／ＣＤ用対物レンズ１４３によってＤＶＤ２の情報記録面にスポット状に集光される。
【００２４】
一方、復路において、ＤＶＤ２の情報記録面で反射されたＤＶＤ用レーザ光は、ＤＶＤ／ＣＤ用対物レンズ１４３からＤＶＤ／ＣＤ用偏光ビームスプリッタ１３７までは元の経路を戻り、この途中で１／４波長板１４１によってＳ偏光光に変換されてＤＶＤ／ＣＤ用偏光ビームスプリッタ１３７に入射されて、ここで反射される。
【００２５】
この後、ＤＶＤ用レーザ光は、アナモフィクレンズ１４４を介してＤＶＤ／ＣＤ用光検出器１４５内に入射され、このＤＶＤ／ＣＤ用光検出器１４５内の受光部で光電変換されて、ＤＶＤ２に対してトラッキングエラー信号，フォーカスエラー信号，メインデータ信号を検出している。
【００２６】
次に、ＣＤ用の半導体レーザ光源となるＣＤ用レーザダイオード１３３から射出した波長が７８０ｎｍのＣＤ用レーザ光は、カップリングレンズ１３４によって放射角を変換され、次に回折格子１３５に入射されてトラッキングエラー信号生成に用いる３本のビームに分けられる。そして、回折格子１３５を通過したＣＤ用レーザ光は、ダイクロイックプリズム１３６に入射された後に反射面で反射され、ＤＶＤ／ＣＤ用偏光ビームスプリッタ１３７にＰ偏光光として入射され、ＤＶＤ／ＣＤ用偏光ビームスプリッタ１３７をそのまま透過する。
【００２７】
この後、ＤＶＤ／ＣＤ用偏光ビームスプリッタ１３７を透過したＣＤ用レーザ光はコリメータレンズ１３８に入射され、このコリメータレンズ１３８でＣＤ用レーザ光は発散光から略平行光（若干の発散光）に変換される。
【００２８】
また、コリメータレンズ１３８に入射しないＣＤ用レーザ光の周辺光の一部はＤＶＤ／ＣＤ用フロントモニタ・フォトディテクタ１３９に入射されて、ＣＤ用レーザ光の周辺光の一部分の出射パワー（出射光強度）をモニタし、その出力値を基にＣＤ用レーザダイオード１３３の出力を制御している。
【００２９】
更に、コリメータレンズ１３８を通過したＣＤ用レーザ光は、ＤＶＤ／ＣＤ用立ち上げミラー１４０で９０°反射されて光路を上方に向かって折り曲げられ、１／４波長板１４１によって直線偏光光から円偏光光に変換される。そして、円偏光光に変換されたＣＤ用レーザ光は、波長選択型開口フィルタ１４２に入射され、この波長選択型開口フィルタ１４２によりＤＶＤ／ＣＤ用対物レンズ１４３への開口数（ＮＡ）が０．４７に制限されてＤＶＤ／ＣＤ用対物レンズ１４３によってＣＤ３の情報記録面にスポット状に集光される。
【００３０】
一方、復路において、ＣＤ３の情報記録面で反射されたＣＤ用レーザ光は、ＤＶＤ用レーザ光と同様に、ＤＶＤ／ＣＤ用対物レンズ１４３からＤＶＤ／ＣＤ用偏光ビームスプリッタ１３７までは元の経路を戻り、この途中で１／４波長板１４１によってＳ偏光光に変換されてＤＶＤ／ＣＤ用偏光ビームスプリッタ１３７に入射されて、ここで反射される。
【００３１】
この後、ＣＤ用レーザ光は、アナモフィクレンズ１４４を介してＤＶＤ／ＣＤ用光検出器１４５内に入射され、このＤＶＤ／ＣＤ用光検出器１４５内の受光部で光電変換されて、ＣＤ３に対してトラッキングエラー信号，フォーカスエラー信号，メインデータ信号を検出している。
【００３２】
上記した従来の光ピックアップ装置１００において、情報信号をＢＤ１又はＤＶＤ２もしくはＣＤ３の各情報記録面上に記録する場合にはレーザ出射パワーの強い記録用のレーザビームを各情報記録面上に照射して、各情報記録面上に成膜した各記録層に情報信号を記録する一方、記録済みの情報信号を再生する場合にはレーザ出射パワーの弱い再生用のレーザビームを各情報記録面上に照射して情報信号を読み取っている。
【発明の開示】
【発明が解決しようとする課題】
【００３３】
ところで、従来の光ピックアップ装置１００において、ＢＤ用光学ブロック１１０によりＢＤ１を記録又は再生する一方、ＤＶＤ／ＣＤ光学ブロック１３０によりＤＶＤ２又はＣＤ３を選択的に記録又は再生する際に、ＢＤ用レーザダイオード１１１から出射したＢＤ用レーザ光の出射パワーをＢＤ用フロントモニタ・フォトディテクタ１１４でモニタし、且つ、ＤＶＤ用レーザダイオード１３１から出射したＤＶＤ用レーザ光及びＣＤ用レーザダイオード１３３から出射したＣＤ用レーザ光の各出射パワーをＤＶＤ／ＣＤ用フロントモニタ・フォトディテクタ１３９でモニタしているために、２つのフロントモニタ・フォトディテクタ１１４，１３９を必要としている。
【００３４】
この場合、従来の光ピックアップ装置１００内に内蔵した各半導体レーザ光源となる各レーザダイオード１１１，１３１，１３３から出射した各レーザ光は、一般的に、温度変動や経年変化によって出射パワーが変動するため、ＡＰＣ（Ａｕｔｏ  Ｐｏｗｅｒ  Ｃｏｎｔｒｏｌ）により出射パワー制御を行って、各レーザ光の出射パワーレベルの安定化を図ることが行われている。
【００３５】
このＡＰＣの代表的な方式として、各レーザダイオード１１１，１３１，１３３の後方から出射した各レーザ光を検出するリアモニタ方式と、各レーザダイオード１１１，１３１，１３３の前方から出射した各レーザ光を検出するフロントモニタ方式とが知られている。
【００３６】
各モニタの方法にはそれぞれ一長一短があり、例えばリアモニタ方式ではフロントモニタ方式で必要なモニタ専用のフォトディテクタを必要としないのでその分コストがかからないメリットがある反面、高出力レーザ光源でよく使われる非対称コートでレーザチップのリヤ側の反射率を高めている場合には、十分な光量がとれず発光出力コントロールの精度が低下する問題があり、高出力レーザ光源には使えない場合があるという欠点がある。
【００３７】
このため高出力のレーザ光源を必要とする、記録型の光ピックアップ装置では一般的にフロントモニタ方式が採用されている。
【００３８】
このフロントモニタ方式は、半導体レーザ光源から出射したレーザ光の一部を、光ピックアップ装置の光路中に設けたフロントモニタ・フォトディテクタでモニタして、半導体レーザ光源の駆動回路にフィードバックし、レーザ光の出射パワーを一定に保つように制御している。この際、フロントモニタ・フォトディテクタに光量を効率良く導くために集光レンズを組み合わせることが多い。とくに、記録型の光ピックアップ装置では、高倍速記録への対応から、光量損失を少しでも減らすために、フロントモニタ用集光レンズを用いることが一般的である。
【００３９】
この際、従来の光ピックアップ装置１００を適用して高倍速記録が可能になるように改良を図る場合に、２つのフロントモニタ・フォトディテクタ１１４，１３９が必要となるだけでなく、２つのフロントモニタ・フォトディテクタ１１４，１３９に対して高倍速記録に対応して広帯域化が必要となり、フロントモニタ・フォトディテクタとアンプとを一体化した高価なフォトディテクタ集積素子（ＰＤＩＣ）を用いる必要があり、更に、２つのフロントモニタ・フォトディテクタ集積素子（ＰＤＩＣ）に対して２つのフロントモニタ用集光レンズも必要となることから、高倍速記録可能に構成した光ピックアップ装置内の部品点数が増加すると共に、光ピックアップ装置のコストも高価になってしまう。
【００４０】
そこで、短波長の第１半導体レーザ光源と高ＮＡ対物レンズとを有して第１光記録媒体（高密度光記録媒体）を記録又は再生するための第１光学系と、長波長の第２半導体レーザ光源と低ＮＡ対物レンズとを有して第２光記録媒体（低密度光記録媒体）を記録又は再生するための第２光学系と、第１，第２半導体レーザ光源からそれぞれ出射した第１，第２レーザ光の各出射パワーを制御するＡＰＣ（Ａｕｔｏ  Ｐｏｗｅｒ  Ｃｏｎｔｒｏｌ）光学系とを備えた光ピックアップ装置において、第１，第２半導体レーザ光源からそれぞれ出射した第１，第２レーザ光の各出射パワーを安価な構成で確実にモニタできる光ピックアップ装置が望まれていると共に、第２光記録媒体よりも更に低密度な第３光記録媒体を記録又は再生するための第３半導体レーザ光源を第２光学系内に併設した場合に、第３半導体レーザ光源から出射した第３レーザ光の出射パワーも安価な構成で確実にモニタできる光ピックアップ装置が望まれている。
【課題を解決するための手段】
【００４１】
本発明は上記課題に鑑みてなされたものであり、請求項１の発明は、第１レーザ光を出射する第１半導体レーザ光源、前記第１半導体レーザ光源から出射した前記第１レーザ光を第１光記録媒体の情報記録面に集光させる第１対物レンズ、及び、前記第１光記録媒体の前記情報記録面で反射された前記第１レーザ光の戻り光を検出する第１光検出器を有する第１光学系と、
第１レーザ光よりも波長が長い第２レーザ光を出射する第２半導体レーザ光源、前記第２半導体レーザ光源から出射した前記第２レーザ光を第２光記録媒体の情報記録面に集光させる第２対物レンズ、及び、前記第２光記録媒体の前記情報記録面で反射された前記第２レーザ光の戻り光を検出する第２光検出器を有する第２光学系と、
前記第１，第２半導体レーザ光源からそれぞれ出射した前記第１，第２レーザ光の各出射パワーを制御するＡＰＣ光学系と、を備えて、
前記第１，第２光記録媒体に対して情報の記録又は再生を行う光ピックアップ装置において、
前記ＡＰＣ光学系は、
前記第１，第２レーザ光の各光軸が所定の間隔を隔てて平行となる領域に半透過反射面を有して前記第１，第２レーザ光の各一部を前記半透過反射面で透過（又は反射）させ、且つ、前記第１，第２レーザ光の各一部の残りを前記半透過反射面で反射（又は透過）させて前記第１，第２対物レンズの方向に出射させるミラーと、
前記ミラーの前記半透過反射面を透過（又は反射）させた前記第１，第２レーザ光の各一部を前記所定の間隔を隔てて入射させるフロントモニタ用集光レンズと、
前記フロントモニタ用集光レンズで集光された前記第１，第２レーザ光の各一部の各出射パワーを検出するフロントモニタ・フォトディテクタと、
を有することを特徴とする光ピックアップ装置である。
【００４２】
また、請求項２記載の発明は、請求項１記載の光ピックアップ装置において、
前記フロントモニタ用集光レンズは、前記第１，第２レーザ光の各一部による各光束の中心を結ぶ線と少なくとも一方の端面が平行または１０°以下の傾きをなすことを特徴とする光ピックアップ装置である。
【００４３】
更に、請求項３記載の発明は、請求項１又は請求項２記載の光ピックアップ装置において、
第３光記録媒体を記録又は再生するために前記第２レーザ光よりも波長が長い第３レーザ光を出射する第３半導体レーザ光源を前記第２光学系内に併設し、且つ、前記第３レーザ光を前記ＡＰＣ光学系に入射させることを特徴とする光ピックアップ装置である。
【発明の効果】
【００４４】
請求項１記載の光ピックアップ装置によると、第１半導体レーザ光源から出射した第１レーザ光により第１光記録媒体を記録又は再生する第１光学系と、第２半導体レーザ光源から出射した波長が第１レーザ光よりも長い第２レーザ光により第２光記録媒体を記録又は再生する第２光学系と、第１，第２半導体レーザ光源からそれぞれ出射した第１，第２レーザ光の各出射パワーを制御するＡＰＣ光学系とを備えた際、とくに、ＡＰＣ光学系は、
第１，第２レーザ光の各光軸が所定の間隔を隔てて平行となる領域に半透過反射面を有して第１，第２レーザ光の各一部を半透過反射面で透過（又は反射）させ、且つ、第１，第２レーザ光の各一部の残りを半透過反射面で反射（又は透過）させて第１，第２対物レンズの方向に出射させるミラーと、ミラーの半透過反射面を透過（又は反射）させた第１，第２レーザ光の各一部を所定の間隔を隔てて入射させるフロントモニタ用集光レンズと、フロントモニタ用集光レンズで集光された第１，第２レーザ光の各一部の各出射パワーを検出するフロントモニタ・フォトディテクタと、を有しているので、従来のような２個のフロントモニタ・フォトディテクタと２個のフロントモニタ用集光レンズとを用いることなく、１個のフロントモニタ・フォトディテクタと１個のフロントモニタ用集光レンズとを用いれば良いので、ＡＰＣ光学の構造が簡単となり、これに伴って本発明に係る光ピックアップ装置を安価に提供することができる。
【００４５】
また、請求項２記載の光ピックアップ装置によれば、フロントモニタ用集光レンズは、第１，第２レーザ光の各一部による各光束の中心を結ぶ線と少なくとも一方の端面が平行または１０°以下の傾きをなしているので、フロントモニタ用集光レンズを小型化して、光ピックアップ装置の小型化を図ることができる。
【００４６】
更に、請求項３記載の光ピックアップ装置によれば、第３光記録媒体を記録又は再生するために第２レーザ光よりも波長が長い第３レーザ光を出射する第３半導体レーザ光源を第２光学系内に併設して、第３レーザ光をＡＰＣ光学系に入射させているので、第３レーザ光の出射パワーもＡＰＣ光学系で検出することができる。
【発明を実施するための最良の形態】
【００４７】
以下に本発明に係る光ピックアップ装置の一実施例について図１〜図３を参照して詳細に説明する。
【実施例】
【００４８】
図１は本発明に係る光ピックアップ装置の全体構成を摸式的に示した図であり、（ａ）は平面図，（ｂ）は右側面図，（ｃ）はＢＤ用光学系の正面図，（ｄ）はＤＶＤ用光学系の正面図、
図２（ａ），（ｂ），（ｃ）は図１に示した一つのフロントモニタ用集光レンズと、一つのフロントモニタ・フォトディテクタ集積素子とによる構造の一例を示した正面図，右側面図，下面図、
図３（ａ），（ｂ），（ｃ）は図１に示した一つのフロントモニタ用集光レンズと、一つのフロントモニタ・フォトディテクタ集積素子とによる構造の他例を示した正面図，右側面図，下面図である。
【００４９】
図１（ａ）〜（ｄ）に示した如く、本発明に係る光ピックアップ装置１０では、第１半導体レーザ光源２１から出射した波長λ１の第１レーザ光Ｌ１を高い開口数（ＮＡ）を有する第１対物レンズ（以下、高ＮＡ対物レンズと記す）２６で絞り込んで、この第１レーザ光Ｌ１を基板厚さが薄い第１光記録媒体１上にスポット状に集光させた後に、第１光記録媒体１で反射された第１レーザ光Ｌ１の戻り光を第１光検出器２８で検出する第１光学系２０と、
第２半導体レーザ光源３１から出射した波長λ２が波長λ１よりも長い第２レーザ光Ｌ２を高ＮＡ対物レンズ２６よりも低い開口数（ＮＡ）を有する第２対物レンズ（以下、低ＮＡ対物レンズと記す）３５で絞り込んで、第２レーザ光Ｌ２を第１光記録媒体１よりも基板厚さが厚い第２光記録媒体２上に集光させた後に、第２光記録媒体２で反射された第２レーザ光Ｌ２の戻り光を第２光検出器３７で検出する第２光学系３０と、
第１，第２半導体レーザ光源２１，３１からそれぞれ出射した第１，第２レーザ光Ｌ１，Ｌ２の各出射パワーを制御するＡＰＣ（Ａｕｔｏ  Ｐｏｗｅｒ  Ｃｏｎｔｒｏｌ）光学系４０と、を少なくとも備えている。
【００５０】
ここで、第１光記録媒体１は、例えば、ＢＤ（Ｂｌｕ−ｒａｙ  Ｄｉｓｃ）と呼称される高密度光記録媒体であり、且つ、レーザビーム入射面から情報記録面までの基板厚さが０．１ｍｍ程度に形成されたものであり、以下、第１光記録媒体１をＢＤ１と記して説明する。
【００５１】
また、第２光記録媒体２は、例えば、ＤＶＤ（Ｄｉｇｉｔａｌ  Ｖｅｒｓａｔｉｌｅ  Ｄｉｓｃ）と呼称されてＢＤ１よりも低密度の低密度光記録媒体であり、且つ、レーザビーム入射面から情報記録面までの基板厚さが０．６ｍｍ程度に形成されたものであり、以下、第２光記録媒体２をＤＶＤ２と記して説明する。
【００５２】
この際、ここでの図示を省略するものの、ＤＶＤ２よりも更に低密度なＣＤ（Ｃｏｍｐａｃｔ  Ｄｉｓｃ）と呼称される第３光記録媒体（低密度光記録媒体）を記録又は再生するために波長λ３が波長λ２よりも長い第３レーザ光を出射する第３半導体レーザ光源を有する光学系を、第２光学系３０内に併設することも可能である。
【００５３】
上記した第１光学系２０は、高密度光記録媒体であるＢＤ１を記録又は再生する高密度光記録媒体用光学系であり、波長λ１が４０５ｎｍ前後で青色の第１レーザ光Ｌ１を出射する第１半導体レーザ光源２１と、第１偏光ビームスプリッタ２２と、第１コリメータレンズ２３と、プリズム２４と、ＡＰＣ光学系４０と、第１の１／４波長板２５と、高ＮＡ対物レンズ２６と、第１検出レンズ２７と、第１光検出器２８とで構成されており、各部材２１〜２８，４０は第１レーザ光Ｌ１の光路に沿って配設されている。
【００５４】
また、上記した第２光学系３０は、低密度光記録媒体であるＤＶＤ２を記録又は再生する低密度光記録媒体用光学系であり、波長λ２が６６０ｎｍ前後で赤色の第２レーザ光Ｌ２を出射する第２半導体レーザ光源３１と、第２偏光ビームスプリッタ３２と、第２コリメータレンズ３３と、ＡＰＣ光学系４０と、第２の１／４波長板３４と、低ＮＡ対物レンズ３５と、第２検出レンズ３６と、第２光検出器３７とで構成されており、各部材３１〜３７，４０は第２レーザ光Ｌ２の光路に沿って配設されている。
【００５５】
この際、ＢＤ１又はＤＶＤ２の下面側には、２個の対物レンズ２６，３５が所定の間隔Ｋを隔ててそれぞれ固定設置されており、第１光学系２０中で第１コリメータレンズ２３を通過した第１レーザ光Ｌ１は、プリズム２４によって第１レーザ光Ｌ１の光軸が９０°曲げられて第２レーザ光Ｌ２の光軸と平行になるので、立ち上げミラー４１から対物レンズ２６，３５に至るまでの間で第１，第２レーザ光Ｌ１，Ｌ２の各光軸は所定の間隔Ｋを隔てて平行になっている。
【００５６】
尚、この実施例において、第１レーザ光Ｌ１はプリズム２４によって第１レーザ光Ｌ１の光軸が９０°曲げられて第２レーザ光Ｌ２の光軸と平行になるように構成されているが、これに限ることなく、第１，第２レーザ光Ｌ１，Ｌ２の各光軸を第１，第２半導体レーザ光源２１，３１から各対物レンズ２６，３５まで全て平行となるように第１，第２光学系２０，３０を設置することも可能である。
【００５７】
また、本発明の要部となるＡＰＣ（Ａｕｔｏ  Ｐｏｗｅｒ  Ｃｏｎｔｒｏｌ）光学系４０は、第１，第２半導体レーザ光源２１，３１からそれぞれ出射した第１，第２レーザ光Ｌ１，Ｌ２の各出射パワー（出射光強度）を制御するために共用して設けられた光学系であり、立ち上げミラー４１と、フロントモニタ用集光レンズ４２と、フロントモニタ・フォトディテクタ集積素子（ＰＤＩＣ）４３とで構成されている。
【００５８】
この際、立ち上げミラー４１は、第１，第２光学系２０，３０中で第１，第２半導体レーザ光源２１，３１と、高ＮＡ対物レンズ２６及び低ＮＡ対物レンズ３５との間で第１，第２レーザ光Ｌ１，Ｌ２の各光軸が所定の間隔Ｋを隔てて平行となる領域に配置されており、具体的には、第１光学系２０中でプリズム２４と第１の１／４波長板２５との間、及び、第２光学系３０中で第２コリメータレンズ３３と第２の１／４波長板３４との間に配置されている。そして、ＡＰＣ光学系４０の各部材４１〜４３は第１，第２レーザ光Ｌ１，Ｌ２に対して共用化されている。
【００５９】
まず、ＢＤ１の基板厚さが０．１ｍｍ程度である情報記録層を記録又は再生するための第１光学系２０について説明する。
【００６０】
第１半導体レーザ光源２１から出射した波長λ１が４０５ｎｍ前後で青色の第１レーザ光Ｌ１は直線偏光光の発散光であり、この第１レーザ光Ｌ１は第１偏光ビームスプリッタ２２にｓ偏光光で入射される。
【００６１】
上記した第１偏光ビームスプリッタ２２は、偏光選択性半透過／反射誘電体多層膜２２ａを内部に備え、この偏光選択性半透過／反射誘電体多層膜２２ａによって第１半導体レーザ光源２１から出射した第１レーザ光Ｌ１のうちで往路のｓ偏光光を反射し、後述するようにＢＤ１で反射された復路のｐ偏光光を透過するものである。そして、第１偏光ビームスプリッタ２２の偏光選択性半透過／反射誘電体多層膜２２ａを反射した第１レーザ光Ｌ１は、光軸方向に移動自在な第１コリメータレンズ２３に入射され、ここで略平行光に変換される。
【００６２】
上記した第１コリメータレンズ２３は、第１レーザ光Ｌ１の光軸に沿って不図示のレンズ移動機構により移動自在に設けられており、第１レーザ光Ｌ１が第１コリメータレンズ２３を通過するときにＢＤ１の基板厚さに応じて第１コリメータレンズ２３が移動することによってＢＤ１の基板厚さ誤差による球面収差を補正している。
【００６３】
この後、第１コリメータレンズ２３を通過した第１レーザ光Ｌ１はプリズム２４に入射され、このプリズム２４の反射面２４ａで反射されて光路を９０°曲げられた後にＡＰＣ光学系４０内の立ち上げミラー４１に入射される。
【００６４】
上記した立ち上げミラー４１は、表面に半透過反射面４１ａが形成されており、この半透過反射面４１ａは高ＮＡ対物レンズ２６及び低ＮＡ対物レンズ３５の各光軸に対して４５°傾斜して取り付けられている。この際、立ち上げミラー４１の半透過反射面４１ａは、
第１レーザ光Ｌ１及び後述の第２レーザ光Ｌ２を略９０％反射させ、且つ、略１０％を透過させる成膜材により成膜されている。
【００６５】
従って、第１コリメータレンズ２３を通過した第１レーザ光Ｌ１の略９０％は、立ち上げミラー４１の半透過反射面４１ａで９０°反射されて光路を上方に向かって折り曲げられた後に第１の１／４波長板２５に入射され、この第１の１／４波長板２５によって直線偏光光から円偏光光に変換される。
【００６６】
一方、第１コリメータレンズ２３を通過した第１レーザ光Ｌ１の略１０％は、立ち上げミラー４１の半透過反射面４１ａを透過してフロントモニタ用集光レンズ４２を介してフロントモニタ・フォトディテクタ集積素子（ＰＤＩＣ）４３の受光部上に集光され、このフロントモニタ・フォトディテクタ集積素子（ＰＤＩＣ）４３で第１レーザ光Ｌ１の出射パワーがモニタされて、その出力値を基に第１半導体レーザ光源２１の出力が制御されている。
【００６７】
更に、第１の１／４波長板２５を通過した第１レーザ光Ｌ１は、開口数（ＮＡ）が０．８５程度の高ＮＡ対物レンズ２６に入射され、この高ＮＡ対物レンズ２６で絞って得た第１レーザ光Ｌ１のビームをＢＤ１のレーザビーム入射面から入射させて情報記録層上に収差が良好な状態でスポット状に集光して、記録又は再生が行われる。
【００６８】
この後、ＢＤ１の情報記録層で反射された第１レーザ光Ｌ１の戻り光は、往路と反対回りの円偏光光となって高ＮＡ対物レンズ２６に再入射し、この高ＮＡ対物レンズ２６により略平行光となり、第１の１／４波長板２５を通過して往路とは偏光方向が直交した直線偏光光となる。
【００６９】
更にこの後、第１レーザ光Ｌ１の戻り光は立ち上げミラー４１で９０°光線方向を転じ、プリズム２４の反射面２４ａにより９０°光線方向を転じ、更に、第１偏光ビームスプリッタ２２の偏光選択性半透過／反射誘電体多層膜２２ａで透過されて、第１検出レンズ２７を介して第１光検出器２８上で受光される。そして、第１光検出器２８でＢＤ１の情報記録層を再生した時のトラッキングエラー信号，フォーカスエラー信号，メインデータ信号を検出している。
【００７０】
次に、ＤＶＤ２の基板厚さが０．６ｍｍ程度である情報記録層を記録又は再生するための第２光学系３０について説明する。
【００７１】
第２半導体レーザ光源３１から出射した波長λ２が６６０ｎｍ前後で赤色の第２レーザ光Ｌ２は直線偏光光の発散光であり、この第２レーザ光Ｌ２は第２偏光ビームスプリッタ３２にｐ偏光光で入射される。
【００７２】
上記した第２偏光ビームスプリッタ３２は、偏光選択性半透過／反射誘電体多層膜３２ａを内部に備え、この偏光選択性半透過／反射誘電体多層膜３２ａによって第２半導体レーザ光源３１から出射した第２レーザ光Ｌ２のうちで往路のｐ偏光光を透過し、後述するようにＤＶＤ２で反射された復路のｓ偏光光を反射するものである。そして、第２偏光ビームスプリッタ３２の偏光選択性半透過／反射誘電体多層膜３２ａを透過した第２レーザ光Ｌ２は、第２レーザ光Ｌ２の光軸上に固定設置した第２コリメータレンズ３３に入射され、ここで略平行光に変換される。
【００７３】
この後、第２コリメータレンズ３３を通過した第２レーザ光Ｌ２の略９０％は、立ち上げミラー４１の半透過反射面４１ａで９０°反射されて光路を上方に向かって折り曲げられた後に第２の１／４波長板３４に入射され、この第２の１／４波長板３４によって直線偏光光から円偏光光に変換される。
【００７４】
一方、第２コリメータレンズ３３を通過した第２レーザ光Ｌ２の略１０％は、立ち上げミラー４１の半透過反射面４１ａを透過してフロントモニタ用集光レンズ４２を介してフロントモニタ・フォトディテクタ集積素子（ＰＤＩＣ）４３の受光部上に集光され、このフロントモニタ・フォトディテクタ集積素子（ＰＤＩＣ）４３で第２レーザ光Ｌ２の出射パワーがモニタされて、その出力値を基に第２半導体レーザ光源３１の出力が制御されている。
【００７５】
更に、第２の１／４波長板３４を通過した第２レーザ光Ｌ２は、開口数（ＮＡ）が０．６５程度の低ＮＡ対物レンズ３５に入射され、この低ＮＡ対物レンズ３５で絞って得た第２レーザ光Ｌ２のビームをＤＶＤ２のレーザビーム入射面から入射させて情報記録層上に収差が良好な状態でスポット状に集光して、記録又は再生が行われる。
【００７６】
この後、ＤＶＤ２の情報記録層で反射された第２レーザ光Ｌ２の戻り光は、往路と反対回りの円偏光光となって低ＮＡ対物レンズ３５に再入射し、この低ＮＡ対物レンズ３５により僅かな収束光となり、第２の１／４波長板３４を通過して往路とは偏光方向が直交した直線偏光光となる。
【００７７】
更にこの後、第２レーザ光Ｌ２の戻り光は立ち上げミラー４１で９０°光線方向を転じ、更に、第２偏光ビームスプリッタ３２の偏光選択性半透過／反射誘電体多層膜３２ａで反射されて、第２検出レンズ３６を介して第２光検出器３７上で受光される。そして、第２光検出器３７でＤＶＤ２の情報記録層を再生した時のトラッキングエラー信号，フォーカスエラー信号，メインデータ信号を検出している。
【００７８】
次に、本発明の要部となるＡＰＣ光学系４０の各部材について説明すると、第１，第２レーザ光Ｌ１，Ｌ２の各光軸が所定の間隔Ｋを隔てて平行なる領域に配置された立ち上げミラー４１は、前述したように表面に半透過反射面４１ａが形成されており、第１，第２レーザ光Ｌ１，Ｌ２の各一部を半透過反射面４１ａで透過させ、且つ、第１，第２レーザ光Ｌ１，Ｌ２の各一部の残りを半透過反射面４１ａで反射させてそれぞれ対応する対物レンズ２６，３５の方向に出射させている。この後、ミラー４１の半透過反射面４１ａを透過させた第１，第２レーザ光Ｌ１，Ｌ２の各一部をフロントモニタ用集光レンズ４２を介してフロントモニタ・フォトディテクタ集積素子（ＰＤＩＣ）４３に集光させることで、このフロントモニタ・フォトディテクタ集積素子（ＰＤＩＣ）４３により第１，第２レーザ光Ｌ１，Ｌ２の各一部の各出射パワーが検出されている。
【００７９】
そして、フロントモニタ・フォトディテクタ集積素子（ＰＤＩＣ）４３で検出された第１，第２レーザ光Ｌ１，Ｌ２の各一部の各出力は、不図示の半導体レーザ駆動制御回路に入力されて、この半導体レーザ駆動制御回路により第１，第２半導体レーザ光源２１，３１から出射した第１，第２レーザ光Ｌ１，Ｌ２の各出射パワー（出射光強度）が制御されるようになっている。
【００８０】
尚、ＡＰＣ光学系４０は、立ち上げミラー４１に限ることなく、半透過反射面を有するミラー(図示せず)を第１，第２レーザ光Ｌ１，Ｌ２が所定の間隔Ｋを隔てて平行となる領域に配置すれば良いものである。この際、第１，第２レーザ光Ｌ１，Ｌ２の各一部をミラーの半透過反射面で透過（又は反射）させ、且つ、第１，第２レーザ光Ｌ１，Ｌ２の各一部の残りをそれぞれ対応する対物レンズ２６，３５の方向に出射させると共に、ミラーの半透過反射面を透過（又は反射）させた第１，第２レーザ光Ｌ１，Ｌ２の各一部をフロントモニタ用集光レンズ４２を介してフロントモニタ・フォトディテクタ集積素子（ＰＤＩＣ）４３に導くようにミラーを配置すれば良いものである。
【００８１】
また、図３（ａ），（ｂ）に拡大して示した如く、フロントモニタ用集光レンズ４２は、立ち上げミラー４１の半透過反射面４１ａを透過させた第１，第２レーザ光Ｌ１，Ｌ２の各一部を集光させるために立ち上げミラー４１と対向する一方の面４２ａが焦点距離ｆを有する球面に形成され、且つ、フロントモニタ・フォトディテクタ集積素子（ＰＤＩＣ）４３と対向する他方の面４２ｂが平坦に形成されている。
【００８２】
この際、フロントモニタ用集光レンズ４２に入射する第１,第２レーザ光Ｌ１，Ｌ２の各一部による各光束ＳＰ１，ＳＰ２の各径φｄ１，φｄ２は略同径寸法であり、且つ、第１,第２レーザ光Ｌ１，Ｌ２の光軸が各対物レンズ２６，３５の位置関係により所定の間隔Ｋを隔てているので各光束ＳＰ１，ＳＰ２同士が重ならないために、図３（ａ）に示したように、２個の光束ＳＰ１，ＳＰ２を含ませるとフロントモニタ用集光レンズ４２の径φＤは大きくなってしまい、光ピックアップ装置１０が大型化する。
【００８３】
そこで、図３（ｂ）に示したように、フロントモニタ用集光レンズ４２は、所定の間隔Ｋを隔てて入射される第１，第２レーザ光Ｌ１，Ｌ２の各一部による各光束ＳＰ１，ＳＰ２を挟んで互いに対向する一対の端面４２ｃ，４２ｃを形成し、且つ、この一対の端面４２ｃ，４２ｃ間を各光束ＳＰ１，ＳＰ２の中心を結ぶ仮想線Ｙと平行に各光束ＳＰ１，ＳＰ２の径φｄ１，φｄ２よりも僅かに幅広い幅Ｂで切断することで、フロントモニタ用集光レンズ４２を小型化して、光ピックアップ装置１０の小型化を図っている。
【００８４】
尚、この実施例において、フロントモニタ用集光レンズ４２は、一対の端面４２ｃ，４２ｃを第１，第２レーザ光Ｌ１，Ｌ２の各一部による各光束ＳＰ１，ＳＰ２の中心を結ぶ仮想線Ｙと平行に形成しているが、これに限定されるものではなく、フロントモニタ用集光レンズ４２は、第１，第２レーザ光Ｌ１，Ｌ２の各一部による各光束ＳＰ１，ＳＰ２の中心を結ぶ線と少なくとも一方の端面４２ｃが平行または１０°以下の傾きをなすように形成すれば良いものである。
【００８５】
更にこの際、一対の端面４２ｃ，４２ｃを形成したフロントモニタ用集光レンズ４２を通常の研磨工程で作ると、円形に仕上げてから上下を切断することになるので、切断するための工程のためにコストアップになるために、樹脂又はガラス材を用いて成型加工により一度に上記した形状に作製することで、フロントモニタ用集光レンズ４２の製造が容易となり、フロントモニタ用集光レンズ４２が安価になる。
【００８６】
また、フロントモニタ・フォトディテクタ集積素子（ＰＤＩＣ）４３は、ＢＤ１又はＤＶＤ２に対して高倍速記録が可能となるように、フロントモニタ・フォトディテクタとアンプとを一体化して広帯域化が図られたもの使用している。
【００８７】
尚、ＢＤ１又はＤＶＤ２に対して高倍速記録が必要ない場合には、単なるフロントモニタ・フォトディテクタを用いても良い。
【００８８】
以上詳述した本発明に係る光ピックアップ装置１０によれば、波長λ１が４０５ｎｍ前後の第１レーザ光Ｌ１によりＢＤ１を記録又は再生する第１光学系２０と、波長λ２が６６０ｎｍ前後の第２レーザ光Ｌ２によりＤＶＤ２を記録又は再生する第２光学系３０と、第１，第２半導体レーザ光源２１，３１からそれぞれ出射した第１，第２レーザ光Ｌ１，Ｌ２の各出射パワーを制御するＡＰＣ光学系４０とを備えた際、とくに、ＡＰＣ光学系４０は、第１，第２レーザ光Ｌ１，Ｌ２の各光軸が所定の間隔Ｋを隔てて平行となる領域に半透過反射面４１ａを有して第１，第２レーザ光Ｌ１，Ｌ２の各一部を半透過反射面４１ａで透過（又は反射）させ、且つ、第１，第２レーザ光Ｌ１，Ｌ２の各一部の残りを半透過反射面４１ａで反射（又は透過）させて第１，第２対物レンズ２６，３５の方向に出射させるミラー４１と、ミラー４１の半透過反射面４１ａを透過（又は反射）させた第１，第２レーザ光Ｌ１，Ｌ２の各一部を所定の間隔を隔てて入射させるフロントモニタ用集光レンズ４２と、フロントモニタ用集光レンズ４２で集光された第１，第２レーザ光Ｌ１，Ｌ２の各一部の各出射パワーを検出するフロントモニタ・フォトディテクタ４３とを有しているので、先に図４で説明した従来のような２個のフロントモニタ・フォトディテクタを用いることなく、１個のフロントモニタ・フォトディテクタ４３を用いれば良いので、ＡＰＣ光学４０の構造が簡単となり、これに伴って本発明に係る光ピックアップ装置１０を安価に提供することができる。
【００８９】
尚、上記した本発明に係る光ピックアップ装置１０において、ＤＶＤ２よりも更に低密度であるＣＤを記録又は再生する場合に、先に図４を用いて説明した従来例と同様に、波長λ３が７８５ｎｍ前後で赤外色の第３レーザ光を出射する第３半導体レーザ光源を第２光学系３０内に併設し、この第３レーザ光を波長選択型開口フィルタで開口数（ＮＡ）が．５程度に制限して低ＮＡ対物レンズ３５によりＣＤの情報記録面にスポット状に集光させれば良い。この際、第３半導体レーザ光源は、第２半導体レーザ光源３１と一体に集積した構造、又は、第２半導体レーザ光源３１とは別体でプリズムにより第２レーザ光と第３レーザ光とを分離させる構造のいずれでも良い。
【００９０】
そして、ＣＤ用の第３半導体レーザ光源を第２光学系３０内に併設した場合に、ＡＰＣ光学系４０は、第１レーザ光Ｌ１の光軸と、第２レーザ光Ｌ２及び第３レーザ光の少なくとも一方の光軸とが所定の間隔を隔てて平行となる領域に、半透過反射面を有するミラーを設置して、第１〜第３レーザ光の各一部をミラーの半透過反射面で透過（又は反射）させ、且つ、第１〜第３レーザ光の各一部の残りをミラーの半透過反射面で反射（又は透過）させてそれぞれ対応する対物レンズ２６，３５の方向に出射させると共に、ミラーの半透過反射面を透過（又は反射）させた第１〜第３レーザ光の各一部をフロントモニタ用集光レンズ４２を介してフロントモニタ・フォトディテクタで検出すれば良いものである。
【図面の簡単な説明】
【００９１】
【図１】本発明に係る光ピックアップ装置の全体構成を摸式的に示した図であり、（ａ）は平面図，（ｂ）は右側面図，（ｃ）はＢＤ用光学系の正面図，（ｄ）はＤＶＤ用光学系の正面図である。
【図２】（ａ），（ｂ），（ｃ）は図１に示した一つのフロントモニタ用集光レンズと、一つのフロントモニタ・フォトディテクタ集積素子とによる構造の一例を示した正面図，右側面図，下面図である。
【図３】（ａ），（ｂ），（ｃ）は図１に示した一つのフロントモニタ用集光レンズと、一つのフロントモニタ・フォトディテクタ集積素子とによる構造の他例を示した正面図，右側面図，下面図である。
【図４】従来の光ピックアップ装置の一例を摸式的に示した図である。
【符号の説明】
【００９２】
１…第１光記録媒体（ＢＤ）、
２…第２光記録媒体（ＨＤ−ＤＶＤ）、
１０…光ピックアップ装置、
２０…第１光学系（高密度光記録媒体用光学系）
２１…第１半導体レーザ光源、
２２…第１偏光ビームスプリッタ、２２ａ…偏光選択性半透過／反射誘電体多層膜、
２３…第１コリメータレンズ、２４…プリズム、２４ａ…反射面、
２５…第１の１／４波長板、２６…第１対物レンズ（高ＮＡ対物レンズ）、
２７…第１検出レンズ、２８…第１光検出器、
３０…第２光学系（低密度光記録媒体用光学系）、
３１…第２半導体レーザ光源、
３２…第２偏光ビームスプリッタ、３２ａ…偏光選択性半透過／反射誘電体多層膜、
３３…第２コリメータレンズ、３４…第２の１／４波長板、
３５…第２対物レンズ（低ＮＡ対物レンズ）、
３６…第２検出レンズ、３７…第２光検出器、
４０…ＡＰＣ（Ａｕｔｏ  Ｐｏｗｅｒ  Ｃｏｎｔｒｏｌ）光学系、
４１…立ち上げミラー、４１ａ…半透過反射面、
４２…フロントモニタ用集光レンズ、
４２ａ…一方の面、４２ｂ…他方の面、４２ｃ，４２ｃ…一対の端面、
４３…フロントモニタ・フォトディテクタ集積素子（ＰＤＩＣ）、
Ｋ…間隔、Ｌ１…第１レーザ光、Ｌ２…第２レーザ光、
ＳＰ１，ＳＰ２…第１,第２レーザ光の各一部による各光束、Ｙ…仮想線。
【図１】
2008090893.tif 000003
【図２】
2008090893.tif 000004
【図３】
2008090893.tif 000005
【図４】
2008090893.tif 000006